(57)【特許請求の範囲】
【請求項１】
篩網（３６）とこれに平行な底（３０）を有する篩フレーム（２８）内に自由移動可能に挿入され、少なくとも１つの脚部（２４，２６；４６）とブラシ状またはこぶ状の清掃ヘッド（１６）を備え、篩フレームを振動させると、篩クリーナが底（３０）上で不規則運動する、プランシフター用の篩クリーナ（１０）において、清掃ヘッド（１６）が、直接的またはスペーサ（１８）を介して間接的に少なくとも１つの脚部（２４，２６；４６）を備える本体（１２）に配置されていること、清掃ヘッド（１６）の最も近くまたは本体（１２）の中心にある脚部（２４；４６）が、ばね（４０）を介して篩クリーナ（１０）を支持し、すべての清掃ヘッド（１６）が篩網（３６）に対して撓むことができるように押し付けられていることを特徴とする篩クリーナ。
【請求項２】
篩クリーナ（１０）が、篩フレーム（２８）の滑らかな底（３０）に移動可能に支持されていることを特徴とする請求項１記載の篩クリーナ。
【請求項３】
脚部（２４，２６）が、清掃ヘッド（１６）に対してずらして配置され、清掃ヘッドの最も近くにある脚部（２４）が、この清掃ヘッドと篩クリーナの重心（Ｓ）の間に設けられていることを特徴とする請求項１または２記載の篩クリーナ。
【請求項４】
篩クリーナ（１０）が、Ｔ字形状の２つの腕を構成する本体（１２）の２つの張り出しアーム（１４）とＴ字形状の脚部を構成するスペーサ（１８）のＴ字形に形成され、少なくとも、清掃ヘッド（１６）を本質的に一列に配置した張り出しアーム（１４）の範囲が、弾性的に撓む材料から作られていることを特徴とする請求項１〜３のいずれか一つに記載の篩クリーナ。
【請求項５】
脚部（２４，２６）が、清掃ヘッド（１６）の列に対してずれていて、互いに間隔をおいて、清掃ヘッド（１６）の列に対して垂直な直線上に位置していることを特徴とする請求項４記載の篩クリーナ。
【請求項６】
スペーサ（１８）が、自由端に突起（２２）を備え、この突起の高さが清掃ヘッド（１６）の高さよりも低いことを特徴とする請求項４又は５記載の篩クリーナ。
【請求項７】
清掃ヘッド（１６）の列からスペーサ（１８）の自由端まで測定した篩クリーナ（１０）の長さ（Ｌ）が、本質的に正方形の篩フレーム（２８）の辺の長さ（ａ）の半分であることを特徴とする請求項１〜６のいずれか一つに記載の篩クリーナ。
【発明の詳細な説明】
【０００１】
本発明は、篩網とこれに平行な底を有する篩フレーム内に自由移動可能に挿入され、少なくとも１つの脚部とブラシ状またはこぶ状の清掃ヘッドを備え、篩フレームを振動させると、篩クリーナが底上で不規則運動する、プランシフター用の篩クリーナに関する。
【０００２】
篩クリーナはプランシフター（振動篩、多段振動篩）の篩フレーム内に挿入されるので、篩の振動運動によって篩網の下方で運動し、この篩網を清掃する。
【０００３】
従来の篩クリーナの場合、清掃ヘッドは篩網に常時接触してはおらず、清掃ヘッドが篩網に衝撃を加えることによって清掃作用が行われる。これは例えば、篩クリーナの脚部が篩網の下方に平行に配置された波形格子上に支持され、それによってその運動時に波形格子を介して振動させられることによって達成される。
【０００４】
ヨーロッパ特許第０５３６８０３号公報により、３本アームの放射形の篩クリーナが知られている。このクリーナの場合、清掃ヘッドは約１２０度の角度間隔をおいて張り出すように配置された３本のアームの自由端の範囲に配置されている。この篩クリーナは脚部が滑らかな篩底に支持され、篩の振動時に傾動運動を行い、それによって篩網に衝撃を加える。脚部は底クリーナに係合可能である。この底クリーナは、篩フレームのエッジに形成された排出スリットの方に篩通過粒子を搬出する。
【０００５】
この公知の篩クリーナは篩フレームの小さな構造高さを可能にし、その張り出しアームによって篩フレームのコーナーに良好に侵入することができるので、篩網のコーナー領域も良好に清掃される。
【０００６】
篩クリーナが篩フレームのエッジに当接するときに、２つのアームの自由端が篩フレームのエッジに接触し、第３のアームが篩の中央の方に向く。その結果、篩の中央範囲が周縁範囲よりも頻繁に清掃ヘッドによって不作為的に擦過される。これにより、清掃作用が不均一になり、篩中央での篩網の摩耗が大きくなる。
【０００７】
本発明の課題は、強力でそれにもかかわらずやさしい篩網の清掃作用を達成可能な篩クリーナを提供することである。
【０００８】
この課題は請求項１記載の篩クリーナによって解決される。
【０００９】
本発明の有利な実施の形態は従属請求項から明らかである。
【００１０】
本発明によれば、清掃ヘッドが撓むことができるように篩網に押し付けられているので、例えば篩底の小さな湾曲によって、篩底と篩網の間に寸法誤差があっても、篩クリーナが挟まれて動かなくなることがない。撓むことができるように押し付けること、すなわち初期応力を可撓的に加えることは、脚部全体が清掃ヘッドの列に対してずらされ、それによって清掃ヘッドを支持する篩クリーナの部分が下方に逃げることができることによって達成される。これに加えてあるいは選択的に、撓むことができるように押し付けることは、弾性要素によって達成可能である。この弾性要素は例えば、清掃ヘッドを支持する張り出しアーム自体の弾性的な形成または脚部に統合されたばねである。
【００１１】
清掃作用は篩網に衝撃を加えることによって行われるのではなく、清掃ヘッドが篩網上を擦過することによって達成される。すべての清掃ヘッドが常に清掃作用をすることにより、篩網に対する衝撃作用よりも何倍もの清掃能力がある。他の利点は、清掃ヘッドが均一に摩耗することにある。
【００１２】
篩クリーナが篩フレームのエッジに当接するときに、清掃ヘッドの列が篩フレームのエッジに対してほぼ平行になるように篩クリーナを配置することができる。これにより、エッジ近くにおいて、清掃ヘッドが篩網の比較的に大きな面を擦過する。一方、そのときに内側に突出するスペーサはあまり清掃作用をしないかまたは全くしない。これにより、統計的には、篩網の均一な清掃が達成され、篩中央の範囲の篩網が過剰に摩耗することが回避される。
【００１３】
スペーサは好ましくは清掃ヘッドを備えておらず、清掃ヘッドの列に関してＴ字状に配置され、篩クリーナを滑らかな篩底に支持し、同時に底クリーナとしての働きをする脚部が、スペーサの下方に形成され、少なくとも２個所で篩底に接触している。これにより、清掃ヘッドの全体の列が常に篩網に接触保持されるように、篩クリーナの可動性が制限される。
【００１４】
プランシフターの篩フレームは一般的に本質的に正方形の輪郭を有する。清掃ヘッドの列からスペーサの自由端まで測定した篩クリーナの長さが、篩フレームの辺の長さの半分であると、きわめて均一な清掃作用が達成可能である。
【００１５】
次に、図に基づいて本発明の好ましい実施の形態を詳しく説明する。
【００１６】
図１〜３に示した篩クリーナ１０は、上から見た形が本質的にＴ字状のゴム弾性材料からなる本体を備えている。この本体１２は２個の突出アーム１４を備えている。このアームは本質的に一直線上に配置され、その上面に、一列に配置された複数の清掃ヘッド１６を備えている。この清掃ヘッド１６は本体と一体に形成されたこぶによってあるいは本体１２に挿入されたブラシの毛の束によって形成可能である。
【００１７】
本体１２は更に、スペーサ１８を備えている。このスペーサは清掃ヘッド１６の列に対してＴ字の形に配置され、突出するアーム１４に対して幾分下方にずれている。突出するアーム１４の下面には、補強リブ２０が設けられている。この補強リブはスペーサ１８の一端に接続している。スペーサ１８は反対側の端部に、突起２２を備えている。この突起の上端は清掃ヘッド１６の上端よりも低くなっている。
【００１８】
篩クリーナの脚はスペーサ１８の下面に形成された２個の突出部２４，２６によって形成されている。この突出部２４は円形の輪郭を有し、アーム１４寄りのスペーサ１８の端部の近くに設けられている。一方、突出部２６は細長い輪郭を有し、スペーサの反対側の端部を越えて軸方向に突出している。
【００１９】
図１〜３の篩クリーナの場合には、突出するアームがやや曲がっているが、図４，５に示す変形実施の形態では、アーム１４が互いに直線状に連結され、そして全体にわたって真っ直ぐな列の清掃ヘッド１６を備えている。図４，５の篩クリーナはそのほかの点では図１〜３の篩クリーナと同じ構造を有する。
【００２０】
図４，５では更に、プランシフター（多段振動篩、振動篩）の篩フレーム２８が示してある。この篩フレームは滑らかな底３０を備え、４つの壁３２，３４によって画成されている。篩フレーム２８は更に、篩網３６を備えている。この篩網は底３０に対して間隔をおいて平行に配置されている。篩フレームの壁３４は底３０と共に、篩分けられた小さな粒子のための排出スリット３８を形成している。
【００２１】
篩クリーナ１０は一直線上に配置されたその突出部２４，２６によって、篩フレームの滑らかな底３０に支持され、そして高さが図５から明らかなように、すべての清掃ヘッド１６が篩網３６の下面に接触するように篩フレームに調和している。突出部２４，２６が底３０と共に、清掃ヘッド１６の列に対して直角に延びる接触線を形成しているので、篩クリーナ１０はこの接触線の回りに傾動可能である。これはしかし、清掃ヘッド１６が篩網に接触することによって防止される。従って、突出部の平らな下面は底３０の上面を滑り、それによって底クリーナとして作用する。突出部２６の高さは、図５に示すように、排出スリット３８に入ることができるように採寸されている。
【００２２】
スペーサ１８、ひいては突出部２４，２６が清掃ヘッド１６の列に対してずれているので、篩クリーナは突出部２４を中心にして傾動可能である。しかし、これは通常は、篩クリーナの重心Ｓが突出部２４に対して幾分突出部２６の方にずれていることによって防止される。それにもかかわらず、例外的に、例えば激しい振動の際に篩クリーナが傾動すると、突起２２が篩網に寄りかかることによって、揺動範囲が制限される。底３０と篩網３６の間の間隔が底３０の変形または湾曲によって変化するときに、篩クリーナ１０が傾動することになる。この場合、篩クリーナの傾動可能な支持が、底と篩網の間で挟まれて動かなくなることを防止する。そのために、アーム１４の或る程度の弾性的な可撓性が寄与する。
【００２３】
図６は、突出部２４がばね４０を介して篩クリーナの本体１２に支持されている変形を示している。これにより、清掃ヘッド１６を篩網３６に押し付ける弾性的な初期応力を非常に正確に調節することができる。
【００２４】
篩フレーム２８は片の長さａを有する本質的に正方形の輪郭を有する。清掃ヘッド１６の列からスペーサ１８の自由端まで測定した篩クリーナ１０の長さＬは、約ａ／２である。
【００２５】
プランシフターの運転時に、篩フレーム２８が振動するので、篩クリーナ１０は底３０上で不規則運動を行う。篩クリーナが図４に示した方向にほぼ配置されていると、清掃ヘッド１６は篩網の左側半分をエッジまで清掃することができる。しかし、篩網の右側半分は清掃できない。なぜなら、スペーサ１８が篩フレームの壁３４に突き当たるからである。篩クリーナが反対向きに配置されると、篩網の右側だけを清掃することができる。篩クリーナの長さＬが篩フレームの辺の長さのほぼ半分であるので、異なる方向に配置する際に清掃可能な篩網の両範囲の間に、大きな隙間も生じないし、大きくオーバーラップすることもない。同じことが、図４の配置方向に対して９０°回転した篩クリーナの場合にも当てはまる。篩クリーナの配置方向が無作為的に変化するので、平均して、篩網の面積全体にわたってほぼ均一な清掃作用、従ってほぼ均一な篩網の摩耗が達成される。この無作為的な性質に基づいて、長さＬを採寸する際に、高い精度は不要である。
【００２６】
図７は他の実施の形態として、図６の篩クリーナに類似するように形成された篩クリーナ１０を示している。しかし、突出部２４に支持されたばね４０はコイルばねとしてではなく、細長い板ばねとして形成されている。この板ばねは本体１２の下面の細長い凹部４２内に設けられている。
【００２７】
図８，９は、本体が従来の篩クリーナの場合に類似して平らな板として形成された篩クリーナ１０を示している。この篩クリーナの本体は、辺が凸形に丸くなっている等辺三角形の輪郭を有し、周縁部全体に清掃ヘッド１６を備えている。本体１２の下面の中央には、円筒形のブッシング４４が形成されている。このブッシング内で、篩クリーナの脚部４６を形成するピストンが垂直方向に移動可能に案内されている。脚部４６と本体１２の間で作用するばね４０はコイルばねとして形成され、ブッシング４４内に収容されている。
【００２８】
図８，９の篩クリーナもその脚部４６が滑らかな篩底に支持されるので、清掃ヘッド１６はばね４０によって篩網に軽く押し付けられる。それによって、すべての清掃ヘッド１６が常に働く。篩底が幾分変形すると、ばね４０が弾性的に撓むので、篩クリーナは篩底と篩網の間の中間室内で挟まれて動かなくなることがない。
【００２９】
脚部４６は本体１２と同様にゴム弾性的な材料によって形成することができる。篩クリーナが篩フレーム内で動くときに、脚部が滑らかな篩底上に“押し付けられる”ので、軽い振動が引き起こされ、この振動が清掃作用を補助する。
【図面の簡単な説明】
【図１】  篩クリーナの平面図である。
【図２】  図１の篩クリーナの側面図である。
【図３】  図１，２の篩クリーナを下から見た図である。
【図４】  他の実施の形態による篩クリーナを備えたプランシフターの篩フレームの平面図である。
【図５】  図４の篩フレームの垂直断面図である。
【図６】  他の実施の形態の篩クリーナの部分断面図である。
【図７】  他の実施の形態の篩クリーナの縦断面図である。
【図８】  他の実施の形態の篩クリーナの平面図である。
【図９】  図８のＩＸ−ＩＸ線に沿った断面図である。
【図１】
0004283992.tif 000002
【図２】
0004283992.tif 000003
【図３】
0004283992.tif 000004
【図４】
0004283992.tif 000005
【図５】
0004283992.tif 000006
【図６】
0004283992.tif 000007
【図７】
0004283992.tif 000008
【図８】
0004283992.tif 000009
【図９】
0004283992.tif 000010